(57)【要約】耐振性が高く、安価で小型であり、分解能が高い干渉計、フーリエ変換分光装置及び成分分析装置を提供する。干渉計１０は、入射された光のうち所定の偏光を通過させる第１偏光素子１３と、第１偏光素子１３の後段に配置され、第１偏光素子１３から出射された光の入射方向を回転軸として回転可能に配置された複屈折結晶１４と、複屈折結晶１４の後段に配置され、複屈折結晶１４から出射された光のうち所定の偏光を通過させる第２偏光素子１５と、第２偏光素子１５の後段に配置され、第２偏光素子１５から出射された光を電気信号に変換する受光素子１７と、を備え、第１偏光素子１３、複屈折結晶１４、第２偏光素子１５及び受光素子１７は、直線的に配置される。
2019008964.tif 000002
【特許請求の範囲】
【請求項１】
入射された光のうち所定の偏光を通過させる第１偏光素子と、
前記第１偏光素子の後段に配置され、前記第１偏光素子から出射された光の入射方向を回転軸として回転可能に配置された複屈折結晶と、
前記複屈折結晶の後段に配置され、前記複屈折結晶から出射された光のうち所定の偏光を通過させる第２偏光素子と、
前記第２偏光素子の後段に配置され、前記第２偏光素子から出射された光を電気信号に変換する受光素子と、を備え、
前記第１偏光素子、前記複屈折結晶、前記第２偏光素子及び前記受光素子は、直線的に配置される、
干渉計。
【請求項２】
前記第１偏光素子は、前記入射された光のうち第１方向の直線偏光を通過させ、
前記第２偏光素子は、前記複屈折結晶から出射された光のうち第２方向の直線偏光を通過させ、
前記第１方向と前記第２方向は、同じ方向又は直交する方向である、
請求項１に記載の干渉計。
【請求項３】
前記第２偏光素子は、前記複屈折結晶から出射された光のうち２種類の偏光を分離して異なる方向に出射し、
前記受光素子は、前記第２偏光素子により分離された２種類の偏光のうち一方を受光する第１素子と、他方を受光する第２素子とを含む、
請求項１に記載の干渉計。
【請求項４】
前記第１偏光素子は、前記入射された光のうち第１方向の直線偏光を通過させ、
前記第２偏光素子は、前記複屈折結晶から出射された光のうち第２方向の直線偏光と第３方向の直線偏光を分離して異なる方向に出射し、
前記第１方向と前記第２方向は、同じ方向又は直交する方向であり、
前記第１方向と前記第３方向は、同じ方向又は直交する方向であり、
前記第２方向と前記第３方向は、直交する方向である、
請求項３に記載の干渉計。
【請求項５】
前記第１偏光素子と前記複屈折結晶の間に配置され、前記第１偏光素子から出射された光のうち２種類の偏光を分離して同じ方向に出射する第３偏光素子をさらに備える、
請求項１から４のいずれか一項に記載の干渉計。
【請求項６】
前記受光素子は、シングルチャンネルセンサを一列に並べたラインセンサ又はシングルチャンネルセンサをマトリクス状に並べたエリアセンサを含む、
請求項１から５のいずれか一項に記載の干渉計。
【請求項７】
請求項１から６のいずれか一項に記載の干渉計と、
前記電気信号をフーリエ変換する変換部と、
を備えるフーリエ変換分光装置。
【請求項８】
請求項７に記載のフーリエ変換分光装置と、
フーリエ変換された前記電気信号に基づいて、成分分析を行う分析部と、
を備える成分分析装置。
【発明の詳細な説明】
【技術分野】
【０００１】
本発明は、干渉計、フーリエ変換分光装置及び成分分析装置に関する。
【背景技術】
【０００２】
従来、フーリエ変換分光法は、マイケルソン型干渉計によって干渉光を得て、干渉光をフーリエ変換することで行われている。マイケルソン型干渉計は、入射光をビームスプリッタで２つの経路に分割し、それぞれの経路に設置したミラーで光を反射してビームスプリッタに返して、２つの経路の光路差によって干渉光を得る。【０００３】
例えば下記特許文献１には、反射ミラーを直線運動及び反転運動させて往復させる移動機構と、移動機構を反射ミラーの移動速に応じて制御する第１フィードバック制御部と、移動機構を反射ミラーの位置に応じて制御する第２フィードバック制御部とを有し、反射ミラーの直線運動の場合に、第１フィードバック制御部によって移動機構を制御し、反射ミラーの反転運動の場合に、第２フィードバック制御部によって移動機構を制御する干渉計が記載されている。
【先行技術文献】
【特許文献】
【０００４】
【特許文献１】特許第５９４７１９３号公報
【特許文献２】国際公開第２０１２／１４０９８０号
【特許文献３】特開２００８−１２８６５４号公報
【特許文献４】特開２０１６−１４２５２７号公報
【特許文献５】特開２０１５−１９４３５９号公報
【特許文献６】特開２０１０−６６２８０号公報
【特許文献７】特開２００５−２５０１４４号公報
【非特許文献】
【０００５】
【非特許文献１】Ｄ．Ｍａｌａｃａｒａ  ａｎｄ  Ｏ．Ｈａｒｒｉｓ、「Ｉｎｔｅｒｆｅｒｏｍｅｔｒｉｃ  Ｍｅａｓｕｒｅｍｅｎｔ  ｏｆ  Ａｎｇｌｅｓ」、Ａｐｐｌｉｅｄ  Ｏｐｔｉｃｓ、第９巻、１９７０年、ｐ．１６３０−１６３３
【非特許文献２】Ｔ．Ｏｋａｍｏｔｏ，Ｓ．Ｋａｗａｔａ  ａｎｄ  Ｓ．Ｍｉｎａｍｉ、「Ｆｏｕｒｉｅｒ  ｔｒａｎｓｆｏｒｍ  ｓｐｅｃｔｒｏｍｅｔｅｒ  ｗｉｔｈ  ａ  ｓｅｌｆ−ｓｃａｎｎｉｎｇ  ｐｈｏｔｏｄｉｏｄｅ  ａｒｒａｙ」、Ａｐｐｌｉｅｄ  Ｏｐｔｉｃｓ、第２３巻、１９８４年、ｐ．２６９−２７３
【非特許文献３】Ｍ．Ｈａｓｈｉｍｏｔｏ  ａｎｄ  Ｓ．Ｋａｗａｔａ、「Ｍｕｌｔｉｃｈａｎｎｅｌ  Ｆｏｕｒｉｅｒ−ｔｒａｎｓｆｏｒｍ  ｉｎｆｒａｒｅｄ  ｓｐｅｃｔｒｏｍｅｔｅｒ」、Ａｐｐｌｉｅｄ  Ｏｐｔｉｃｓ、第３１巻、１９９２年、ｐ．６０９６−６１０１
【発明の概要】
【発明が解決しようとする課題】
【０００６】
従来のマイケルソン型干渉計は、例えば特許文献１に記載のように、２枚のミラーのうち一方を往復運動させて、光路差を変化させることで時間的に干渉光を形成する。ここで、移動するミラーの角度は、ミラーの駆動や、外部から加えられる振動によって僅かに傾くおそれがあるが、ミラーの角度が僅かでも傾くと干渉光が得られなくなる。【０００７】
そのため、従来のマイケルソン型干渉計は、重量のある定盤上に構成したり、室内等の振動が少ない環境で用いたりして振動を抑え、ナノメートル精度でミラーの駆動を行っている。特許文献１〜４では、マイケルソン型干渉計について、２枚のミラーの角度を一定に保つ技術や、ミラーの駆動を安定させる技術、ミラーの位置を精密に検出する技術について様々な改良が提案されている。しかしながら、これらの技術は、コストの増大や装置の大型化を招くことがあった。【０００８】
マイケルソン型干渉計の欠点を克服すべく、非特許文献１〜３では、空間的に干渉光を形成するマルチチャンネル干渉計が提案されている。マイケルソン型干渉計では干渉光を時間的に形成するのに対して、マルチチャンネル干渉計は、ウォラストンプリズムやサバール板を用いて空間的に干渉光を形成する。ただし、マルチチャンネル干渉計は、ミラーを移動させて光路差をつくるものではないため、マイケルソン型干渉計よりも耐振性が高いものの、空間的に広がった干渉光を光検出器で捉えなければ十分な分解能が達成できず、光検出器の大きさによって分解能が制限される。【０００９】
そこで、本発明は、耐振性が高く、安価で小型であり、分解能が高い干渉計、フーリエ変換分光装置及び成分分析装置を提供する。
【課題を解決するための手段】
【００１０】
本発明の一態様に係る干渉計は、入射された光のうち所定の偏光を通過させる第１偏光素子と、第１偏光素子の後段に配置され、第１偏光素子から出射された光の入射方向を回転軸として回転可能に配置された複屈折結晶と、複屈折結晶の後段に配置され、複屈折結晶から出射された光のうち所定の偏光を通過させる第２偏光素子と、第２偏光素子の後段に配置され、第２偏光素子から出射された光を電気信号に変換する受光素子と、を備え、第１偏光素子、複屈折結晶、第２偏光素子及び受光素子は、直線的に配置される。【００１１】
この態様によれば、第１偏光素子、複屈折結晶、第２偏光素子及び受光素子で干渉計を構成することで、安価で小型とすることができ、これらの素子が直線的に配置されることで、耐振性を向上させることができる。また、回転可能に配置された複屈折結晶により干渉光を時間的に形成することで、十分に高い分解能を得ることができる。【００１２】
上記態様において、第１偏光素子は、入射された光のうち第１方向の直線偏光を通過させ、第２偏光素子は、複屈折結晶から出射された光のうち第２方向の直線偏光を通過させ、第１方向と第２方向は、同じ方向又は直交する方向であってもよい。【００１３】
この態様によれば、複屈折結晶により位相差を与えられた光を効率的に干渉させることができ、入射光を効率的に用いて明るい干渉光を得ることができる。【００１４】
上記態様において、第２偏光素子は、複屈折結晶から出射された光のうち２種類の偏光を分離して異なる方向に出射し、受光素子は、第２偏光素子により分離された２種類の偏光のうち一方を受光する第１素子と、他方を受光する第２素子とを含んでもよい。【００１５】
この態様によれば、それぞれ逆向きにピークを持った２種類の干渉光が得られ、差分を取ることで、ノイズを低減し、干渉のピークを明確にすることができる。【００１６】
上記態様において、第１偏光素子は、入射された光のうち第１方向の直線偏光を通過させ、第２偏光素子は、複屈折結晶から出射された光のうち第２方向の直線偏光と第３方向の直線偏光を分離して異なる方向に出射し、第１方向と第２方向は、同じ方向又は直交する方向であり、第１方向と第３方向は、同じ方向又は直交する方向であり、第２方向と第３方向は、直交する方向であってもよい。【００１７】
この態様によれば、複屈折結晶により位相差を与えられた光を効率的に干渉させることができ、入射光を効率的に用いて逆向きにピークを持った２種類の明るい干渉光を得ることができ、差分を取ることで、ノイズを低減し、干渉のピークを明確にすることができる。【００１８】
上記態様において、第１偏光素子と複屈折結晶の間に配置され、第１偏光素子から出射された光のうち２種類の偏光を分離して同じ方向に出射する第３偏光素子をさらに備えてもよい。【００１９】
この態様によれば、入射光をスリットで絞らずに複屈折結晶に入射させることができ、入射光を効率的に用いて明るい干渉光を得ることができる。【００２０】
上記態様において、受光素子は、シングルチャンネルセンサを一列に並べたラインセンサ又はシングルチャンネルセンサをマトリクス状に並べたエリアセンサを含んでもよい。【００２１】
この態様によれば、時間的に形成される干渉を、空間的に並列して測定することができ、測定時間が短縮されるとともに、空間的な分光情報を測定することもできる。【００２２】
本発明の他の態様に係るフーリエ変換分光装置は、上記態様の干渉計と、電気信号をフーリエ変換する変換部と、を備える。【００２３】
この態様によれば、耐振性が高く、安価で小型であり、分解能が高い干渉計を備えることで、持ち運んで使用することのできる、スペクトル分解能の高いフーリエ変換分光装置が得られる。【００２４】
本発明の他の態様に係る成分分析装置は、上記態様のフーリエ変換分光装置と、フーリエ変換された電気信号に基づいて、成分分析を行う分析部と、を備える。【００２５】
この態様によれば、耐振性が高く、安価で小型であり、分解能が高いフーリエ変換分光装置を備えることで、持ち運んで使用することのできる成分分析装置が得られる。
【発明の効果】
【００２６】
本発明によれば、耐振性が高く、安価で小型であり、分解能が高い干渉計、フーリエ変換分光装置及び成分分析装置を提供することができる。
【図面の簡単な説明】
【００２７】
【図１】本発明の第１実施形態に係る成分分析装置の構成図である。
【図２】本発明の第１実施形態に係る干渉計の構成図である。
【図３】本発明の第１実施形態に係る干渉計により得られるスペクトルと、従来のマルチチャンネル干渉計により得られるスペクトルを示すグラフである。
【図４】本発明の第２実施形態に係る干渉計の構成図である。
【図５】本発明の第２実施形態に係る干渉計により得られる干渉光を示す図である。
【図６】本発明の第３実施形態に係る干渉計の構成図である。
【発明を実施するための形態】
【００２８】
添付図面を参照して、本発明の実施形態について説明する。なお、各図において、同一の符号を付したものは、同一又は同様の構成を有する。
【００２９】
［第１実施形態］
図１は、本発明の第１実施形態に係る成分分析装置１００の構成図である。本実施形態に係る成分分析装置１００は、フーリエ変換分光装置２００と、フーリエ変換された電気信号に基づいて、成分分析を行う分析部３０と、を備える。フーリエ変換分光装置２００は、干渉計１０と、電気信号をフーリエ変換する変換部２０と、を備える。干渉計１０は、試料３００で反射された光又は試料３００を透過した光について干渉光を形成して、干渉光を受光素子で受光し、電気信号として出力する。成分分析装置１００は、干渉計１０によって干渉光を形成し、フーリエ変換分光装置２００の変換部２０によって干渉光の電気信号をフーリエ変換してスペクトル分解し、分析部３０によって試料３００に含まれる化学的成分を分析する。
【００３０】
本実施形態に係る成分分析装置１００において、試料３００に照射する光は、赤外線である。もっとも、試料３００に照射する光は、近赤外線であってもよいし、可視光や紫外線等任意の波長の光であってよい。また、試料３００は、気体、液体及び固体のいずれであってもよく、例えば有機化合物であってよい。試料３００は、合成されたものでなくて、例えば農産物等の天然物であってもよい。成分分析装置１００は、試料３００として天然物を対象として、天然物に含まれる化学成分を分析することとしてもよい。もっとも、試料３００は、どのような対象であってもよい。
【００３１】
図２は、本発明の第１実施形態に係る干渉計１０の構成図である。干渉計１０は、スリット１１、第１レンズ１２、第１偏光素子１３、複屈折結晶１４、第２偏光素子１５、第２レンズ１６及び受光素子１７を備える。
【００３２】
スリット１１は、干渉計１０に入射する入射光ＩＮを絞る。スリット１１は、例えばピンホールであってよい。第１レンズ１２は、スリット１１から出射された光を平行光に変換する凸レンズであってよい。
【００３３】
第１偏光素子１３は、入射された光のうち所定の偏光を通過させる。第１偏光素子１３は、入射された光のうち第１方向の直線偏光を通過させる素子であってよい。ここで、第１方向は、第１偏光素子１３の表面に沿った任意の方向であってよい。例えば、干渉計１０が水平面に置かれ、第１方向が水平面に対して垂直方向（０°方向）である場合、第１偏光素子１３を通過した光は、水平面に対して４５°方向の直線偏光である第１偏光Ｐ１と、水平面に対して−４５°方向の直線偏光である第２偏光Ｐ２とを同じ強度で含む。
【００３４】
複屈折結晶１４は、第１偏光素子１３の後段に配置され、第１偏光素子１３から出射された光の入射方向を回転軸として回転可能に配置される。ここで、第１偏光素子１３から出射された光の入射方向とは、第１偏光素子１３を通過した第１偏光Ｐ１及び第２偏光Ｐ２が入射する方向であり、第１偏光素子１３の表面と直交する方向である。複屈折結晶１４は、一定の角速度ωで回転されて、入射する第１偏光Ｐ１及び第２偏光Ｐ２に対して、角度に応じた位相差を与える。本例では、第２偏光Ｐ２は、第１偏光Ｐ１に対して、δだけ位相が遅れている。
【００３５】
複屈折結晶１４は、一軸性結晶であってよく、試料３００に照射する光の波長に応じて異なる材料で形成してよい。例えば、可視光領域では方解石（ＣａＣＯ3）を用いることができ、近赤外領域ではＹＶＯ4を用いることができ、赤外領域ではＧａＳｅを用いることができる。複屈折結晶１４を形成する材料は、複屈折の特性だけではなく、入手の容易さや加工のしやすさ、扱いやすさ、価格等を考慮して選択するべきものである。複屈折結晶１４の材料としては、上述のもの以外に、クォーツやＴｉＯ2、ＣｄＳｅ等を用いることもできる。
【００３６】
第２偏光素子１５は、複屈折結晶１４の後段に配置され、複屈折結晶１４から出射された光のうち所定の偏光を通過させる。第２偏光素子１５は、複屈折結晶１４から出射された光のうち第２方向の直線偏光を通過させる素子であってよく、第１方向と第２方向は、同じ方向又は直交する方向であってよい。例えば、第１方向が０°方向の場合、第２方向は、０°方向又は９０°方向であってよい。これにより、４５°方向の直線偏光である第１偏光Ｐ１の一部と、−４５°方向の直線偏光であり、位相遅れδを有する第２偏光Ｐ２の一部とが第２偏光素子１５を通過することとなり、位相遅れδに応じた干渉光が形成される。第１方向と第２方向を同じ方向又は直交する方向とすることにより、複屈折結晶１４により位相差を与えられた光を効率的に干渉させることができ、入射光を効率的に用いて明るい干渉光を得ることができる。
【００３７】
第２レンズ１６は、第２偏光素子１５を通過した光を集光して、受光素子１７に対して出射光ＯＵＴを出射する。受光素子１７は、第２偏光素子１５の後段に配置され、出射光ＯＵＴを電気信号に変換する。受光素子１７は、複屈折結晶１４が一軸性結晶の場合、複屈折結晶１４が４分の１回転する間、継続的に露光されてよい。受光素子１７により出力される電気信号は、変換部２０によってフーリエ変換され、スペクトル分解される。
【００３８】
本実施形態に係る干渉計１０では、複屈折結晶１４を一軸性結晶で構成する場合、複屈折結晶１４を４分の１回転させる毎に、干渉光が形成される。すなわち、複屈折結晶１４を１回転させる毎に、干渉光が４回形成される。ここで、複屈折結晶１４は、一方向に等角速度で回転させればよい。また、複屈折結晶１４を回転させる際に複屈折結晶１４の端面が僅かに傾くことがあり得るが、仮に端面が数度程度傾いたとしても、干渉光の形成に影響は無い。そのため、本実施形態に係る干渉計１０では、複屈折結晶１４を回転させるために高精度な制御は求められず、従来のマイケルソン型干渉計のように精密な制御を必要としないため、駆動機構が簡単でよく、駆動機構を安価に構成することができる。
【００３９】
本実施形態に係る干渉計１０では、第１偏光素子１３、複屈折結晶１４、第２偏光素子１５及び受光素子１７は、直線的に配置される。ここで、直線的に配置とは、それぞれの光学素子に対して光が入射する方向がほとんど揃っていることを意味する。言い換えると、直線的に配置とは、それぞれの光学素子の光軸がほとんど一致することを意味する。なお、光軸とは、複屈折結晶１４の光学軸を意味するものではなく、光学素子において、素子を通過する光束の代表となる仮想的な光線をいう。複数の光学素子が直線的に配置されていない場合の一例は、ある光学素子に対して光が入射する方向と、他の光学素子に対して光が入射する方向が直交する場合である。第１偏光素子１３、複屈折結晶１４、第２偏光素子１５及び受光素子１７が、直線的に配置されることで、干渉計１０に多少の振動が加えられえた場合であっても、全ての素子が光の入射方向に対して同じ方向に振動することとなり、素子が直線的に配置されない場合と比較して振動による位置ずれ等の影響が低減される。
【００４０】
図３は、本発明の第１実施形態に係る干渉計１０により得られるスペクトルＡと、従来のマルチチャンネル干渉計により得られるスペクトルＢを示すグラフである。同図は、本実施形態に係る干渉計１０によって試料３００に照射された赤外線を干渉させ、変換部２０によってスペクトルＡを得た場合と、同じ試料３００に同じ波長の赤外線を照射して従来のマルチチャンネル干渉計によって干渉させ、スペクトルＢを得た場合とを示している。同図に示すグラフの横軸は、波数を示しており、単位が［１／ｃｍ］であり、縦軸は、無次元化されたエネルギーを示す。
【００４１】
本実施形態に係る干渉計１０により得られるスペクトルＡは、複数の鋭いピークを示しており、試料３００によって特定の波長の光が吸収されていることを明確に示している。一方で、従来のマルチチャンネル干渉計により得られるスペクトルＢは、なだらかな凹凸を示しているものの、鋭いピークは得られておらず、吸収波長を特定するには不十分な分解能しか得られていない。従来のマルチチャンネル干渉計は、１０２４個程度の受光素子によって空間的に干渉光を形成するため、試料３００に照射する光が赤外領域となると、干渉光の一部しか受光素子によって受光できず、サンプリング点数が不十分となり、十分な分解能が得られない。
【００４２】
このように、本実施形態に係る干渉計１０によれば、第１偏光素子１３、複屈折結晶１４、第２偏光素子１５及び受光素子１７で干渉計１０を構成することで、安価で小型な干渉計１０とすることができ、これらの素子が直線的に配置されることで、耐振性を向上させることができる。また、回転可能に配置された複屈折結晶１４により干渉光を時間的に形成することができ、十分に高い分解能を得ることができる。さらに、本実施形態に係るフーリエ変換分光装置２００によれば、耐振性が高く、安価で小型であり、分解能が高い干渉計１０を備えることで、持ち運んで使用することのできる、スペクトル分解能の高いフーリエ変換分光装置が得られる。本実施形態に係る成分分析装置１００によれば、耐振性が高く、安価で小型であり、分解能が高いフーリエ変換分光装置２００を備えることで、持ち運んで使用することのできる成分分析装置が得られる。
【００４３】
なお、分光分析では広い波長領域が必要となることが多いが、複屈折結晶１４の波長分散の影響で、測定波長全域にわたり、波数に対してリニアなスペクトル分布が得られないこともある。そのような場合には、複屈折結晶１４の波長分散を考慮して、測定結果を補正することとしてもよい。補正は、複数の既知の波長を有するレーザ光源又は既知の波長フィルターを通した白色光源等を用いてスペクトル分布をあらかじめ測定して、複屈折結晶１４の波長分散の影響を相殺するための補正量をフーリエ変換分光装置２００に記憶し、当該補正量に基づいて行うこととしてもよい。
【００４４】
また、試料３００として農産物を対象とする場合、本実施形態に係る成分分析装置１００によれば、携帯可能な成分分析装置１００によって、農産物の非破壊成分分析が可能となり、農産物に含まれる化学成分の変化を定量的に把握することができるため、農産物の育成状況を精度良く測定することができる。
【００４５】
［第２実施形態］
図４は、本発明の第２実施形態に係る干渉計１０ａの構成図である。本実施形態に係る干渉計１０ａは、第１実施形態に係る干渉計１０と比較して、第２偏光素子がウォラストンプリズム（Wollaston prism）１８で構成され、受光素子として第１素子１７ａと第２素子１７ｂを含む点で相違する。それら以外の構成について、第２実施形態に係る干渉計１０ａは、第１実施形態に係る干渉計１０と同様の構成を有する。以下では、主に相違点について説明する。なお、本実施形態に係る干渉計１０ａにおいても、第１偏光素子１３、複屈折結晶１４、ウォラストンプリズム１８、第１素子１７ａ及び第２素子１７ｂは、直線的に配置される。もっとも、第１素子１７ａ及び第２素子１７ｂは、受光面を僅かに傾けて配置されてもよい。
【００４６】
本実施形態に係る干渉計１０ａの第２偏光素子は、複屈折結晶１４から出射された光のうち２種類の偏光を分離して異なる方向に出射するウォラストンプリズム１８で構成される。ウォラストンプリズム１８には、複屈折結晶１４によって位相差δを与えられた第１偏光Ｐ１と第２偏光Ｐ２が入射される。ウォラストンプリズム１８は、第１偏光Ｐ１及び第２偏光に含まれる２種類の偏光を、第１素子１７ａと第２素子１７ｂにそれぞれ分離して出射する。第１素子１７ａは、ウォラストンプリズム１８により分離された２種類の偏光のうち一方を受光し、第２素子１７ｂは、ウォラストンプリズム１８により分離された２種類の偏光のうち他方を受光する。
【００４７】
第１偏光素子１３は、入射された光のうち第１方向の直線偏光を通過させ、第２偏光素子であるウォラストンプリズム１８は、複屈折結晶１４から出射された光のうち第２方向の直線偏光と第３方向の直線偏光を分離して異なる方向に出射する。ここで、第１方向と第２方向は、同じ方向又は直交する方向であり、第１方向と第３方向は、同じ方向又は直交する方向であり、第２方向と第３方向は、直交する方向である。例えば、干渉計１０ａが水平面に置かれ、第１方向が水平面に対して０°方向の場合、第２方向は、水平面に対して０°方向であってよく、第３方向は、水平面に対して９０°方向（水平面に沿った方向）であってよい。このような構成によって、水平面に対して４５°方向の直線偏光である第１偏光Ｐ１のうち水平面に対して０°方向の直線偏光と、水平面に対して−４５°方向の直線偏光であり、位相遅れδを有する第２偏光Ｐ２のうち水平面に対して０°方向の直線偏光とがウォラストンプリズム１８によって第１素子１７ａ側に第１出射光ＯＵＴ１として出射され、水平面に対して４５°方向の直線偏光である第１偏光Ｐ１のうち水平面に対して９０°方向の直線偏光と、水平面に対して−４５°方向の直線偏光であり、位相遅れδを有する第２偏光Ｐ２のうち水平面に対して９０°方向の直線偏光とがウォラストンプリズム１８によって第２素子１７ｂ側に第２出射光ＯＵＴ２として出射されて、第１素子１７ａ及び第２素子１７ｂによってそれぞれ位相遅れδに応じた干渉光が測定される。なお、第１方向が水平面に対して０°方向の場合、第２方向は、水平面に対して９０°方向であってもよく、第３方向は、水平面に対して０°方向であってもよい。
【００４８】
図５は、本発明の第２実施形態に係る干渉計１０ａにより得られる干渉光を示す図である。同図の上側のグラフは、第１素子１７ａによって受光される第１出射光ＯＵＴ１及び第２素子１７ｂによって受光される第２出射光ＯＵＴ２を示している。また、下側のグラフは、第１出射光ＯＵＴ１と第２出射光ＯＵＴ２の差分データＤＩＦＦを示している。
【００４９】
同図に示すように、第１出射光ＯＵＴ１と第２出射光ＯＵＴ２は、互いにピークが逆向きに表れる波形となっている。そのため、第１出射光ＯＵＴ１と第２出射光ＯＵＴ２の差分データＤＩＦＦでは、それぞれのピークが互いに強め合い、第１出射光ＯＵＴ１と第２出射光ＯＵＴ２に含まれるノイズは相殺することなる。このように、第２偏光素子としてウォラストンプリズム１８を用いることで、それぞれ逆向きにピークを持った２種類の干渉光を得ることができ、第１素子１７ａ及び第２素子１７ｂでそれぞれ干渉光を受光し、差分を取ることで、ノイズを低減し、干渉のピークを明確にすることができる。
【００５０】
本実施形態に係る干渉計１０ａによれば、複屈折結晶１４により位相差を与えられた光を効率的に干渉させることができ、入射光を効率的に用いて逆向きにピークを持った２種類の明るい干渉光を得ることができ、差分を取ることで、ノイズを低減し、干渉のピークを明確にすることができる。
【００５１】
［第３実施形態］
図６は、本発明の第３実施形態に係る干渉計１０ｂの構成図である。本実施形態に係る干渉計１０ｂは、第１実施形態に係る干渉計１０と比較して、スリット１１を備えず、第３偏光素子１９を備える点で相違する。それら以外の構成について、第３実施形態に係る干渉計１０ｂは、第１実施形態に係る干渉計１０と同様の構成を有する。以下では、主に相違点について説明する。
【００５２】
第３偏光素子１９は、第１偏光素子１３と複屈折結晶１４の間に配置され、第１偏光素子１３から出射された光のうち２種類の偏光を分離して同じ方向に出射する。第３偏光素子１９は、例えばサバール板（Savart plate）であってよい。第３偏光素子１９は、干渉計１０ｂが水平面に置かれる場合、第１偏光素子１３から出射された、水平面に対して０°方向の直線偏光のうち、水平面に対して４５°方向の直線偏光である第１偏光Ｐ１と、水平面に対して−４５°方向の直線偏光である第２偏光Ｐ２とを分離して出射するものであってよい。
【００５３】
本実施形態に係る干渉計１０ｂによれば、入射光をスリットで絞らずに複屈折結晶１４に入射させることができ、入射光を効率的に用いて明るい干渉光を得ることができる。
【００５４】
以上説明した実施形態は、本発明の理解を容易にするためのものであり、本発明を限定して解釈するためのものではない。実施形態が備える各要素並びにその配置、材料、条件、形状及びサイズ等は、例示したものに限定されるわけではなく適宜変更することができる。また、異なる実施形態で示した構成同士を部分的に置換し又は組み合わせることが可能である。
【００５５】
例えば、受光素子１７は、シングルチャンネルセンサを一列に並べたラインセンサ又はシングルチャンネルセンサをマトリクス状に並べたエリアセンサを含んでよい。ラインセンサやエリアセンサを用いることで、時間的に形成される干渉を、空間的に並列して測定することができ、測定時間が短縮されるとともに、空間的な分光情報を測定することもできる。また、時間的に形成される干渉だけでなく、空間的に形成される干渉をも測定することができ、受光面積や信号対雑音比を増加させることができるため、より分解能の高い測定ができる。
【００５６】
また、いずれの実施形態に係る干渉計を用いる場合であっても、変換部２０によって干渉光の電気信号をフーリエ変換し、分析部３０によって成分分析を行うことができ、小型で持ち運び可能な成分分析装置１００を提供することができる。
【符号の説明】
【００５７】
１０…干渉計、１１…スリット、１２…第１レンズ、１３…第１偏光素子、１４…複屈折結晶、１５…第２偏光素子、１６…第２レンズ、１７…受光素子、１８…ウォラストンプリズム、１９…第３偏光素子、２０…変換部、３０…分析部、１００…成分分析装置、２００…フーリエ変換分光装置、３００…試料
【図１】
2019008964.tif 000003
【図２】
2019008964.tif 000004
【図３】
2019008964.tif 000005
【図４】
2019008964.tif 000006
【図５】
2019008964.tif 000007
【図６】
2019008964.tif 000008
【国際調査報告】
2019008964.tif 000009
2019008964.tif 000010
2019008964.tif 000011
2019008964.tif 000012